(57)【特許請求の範囲】
【請求項１】
ともに基体の周縁部に立設された側壁を有し相互に組み合わされる表示側枠体および非表示側枠体を有し、前記表示側枠体と前記非表示側枠体との内部に液晶表示パネルが収納される液晶表示装置において、
前記表示側枠体および前記非表示側枠体のうち何れか一方の枠体の側壁が他方の枠体の側壁よりも外側に配置されて固定され、前記外側に配置された枠体の側壁の何れか一つの側壁に、前記他方の枠体の切り欠きを介して前記表示側枠体および前記非表示側枠体の内側に突出して形成された押圧部を有し、前記押圧部の先端部分が、反液晶表示パネル側の方向に屈曲した曲げ部を有し、前記押圧部の先端部分が前記液晶表示パネルの側面に圧接され、前記液晶表示パネルを固定していることを特徴とする液晶表示装置。
【請求項２】
ともに矩形状の基体における３辺の周縁部に側壁が立設され、前記各基体における他の１辺の周縁部が開口とされ、相互に組み合わされる表示側枠体および非表示側枠体を有し、前記表示側枠体と前記非表示側枠体との内部に液晶表示パネルが収納される液晶表示装置において、
前記表示側枠体および前記非表示側枠体のうち何れか一方の枠体の側壁が他方の枠体の側壁よりも外側に配置されて固定され、
前記表示側枠体および前記非表示側枠体のうち何れかの一方の枠体における前記開口に隣接する少なくとも一方の側壁に、該側壁における開口側の一端縁に突設された第１押圧部を有し、前記第１押圧部の先端部分が、前記開口から内部空間に臨み前記液晶表示パネルの側面に圧接され、
前記外側に配置された枠体の前記開口に隣接する少なくとも一方の側壁に、前記他方の枠体の切り欠きを介して前記表示側枠体および前記非表示側枠体の内側に突出して形成された第２押圧部を有し、前記第２押圧部の先端部分が前記液晶表示パネルの側面に圧接され、前記液晶表示パネルを固定していることを特徴とする液晶表示装置。
【請求項３】
前記液晶表示パネルが前記第２押圧部により前記他方の枠体に押圧されている請求項２に記載の液晶表示装置。
【請求項４】
前記第１押圧部における先端縁のうち前記第１押圧部を形成しない他方の枠体側の角部が曲線状に形成されている請求項２または３に記載の液晶表示装置。
【発明の詳細な説明】
【技術分野】
【０００１】
本発明は、液晶表示パネルと導光板等とを一体に保持して収納する収納ケースを備えた液晶表示装置に関する。
【背景技術】
【０００２】
一般に、コンピュータや携帯機器等の表示装置として特定の図形や文字等の情報を表示するための液晶表示装置が多く用いられている。
【０００３】
この液晶表示装置は、一対の基板の中間に液晶が充填され、前記液晶に電界を与えて所定の表示を行う液晶表示パネルと、前記液晶表示パネルに照射光を照射するための光源や導光板等とを有する。
【０００４】
これら液晶表示パネルや光源、導光板等を一体に保持するため、例えば、前記液晶表示装置においては、非表示側枠体と、この非表示側枠体における表示側の面を被覆する表示側枠体とを備えた収納ケースを具備していた。この収納ケースの内部に、前記液晶表示パネル等を収納することにより、前記液晶表示パネル等を一体に保持していた。
【０００５】
このような収納ケースの非表示側枠体は、平面状の基体および前記基体の周縁部に立設された側壁を有する。また、表示側枠体は、中央部分に窓が形成された平面上の基体および前記基体の周縁部に立設された側壁とを有し、前記非表示側枠体に前記表示側枠体を被せたときに、前記表示側枠体の側壁の内面が前記非表示側枠体の側壁の外面に当接するように形成されている。
【０００６】
そして、前記非表示側枠体の側壁に形成された複数の係止爪を、前記表示側枠体の側壁における前記各係止爪に対応する位置に形成された係止凹部に係止させることにより、前記非表示側枠体と前記表示側枠体とを固定していた。
【０００７】
しかし、このような収納ケースの内部には様々な寸法の多様な液晶表示パネルが収納されるようになっており、前記液晶表示パネルの大きさが前記収納ケースの内部の寸法よりも小さい場合には、前記収納ケースの内部において前記液晶表示パネルの側面と前記収納ケースの内面との間に空間が生じてしまう。
【０００８】
このため、前述のような収納ケースに液晶表示パネルを収納し、この液晶表示パネルを用いた液晶表示装置を例えば携帯機器に実装した場合、前記携帯機器における収納ケースの内部において前記液晶表示パネルが不安定に動くおそれがあるという問題を有していた。
【発明の開示】
【発明が解決しようとする課題】
【０００９】
本発明はこれらの点に鑑みてなされたものであり、収納ケースの内部において液晶表示パネルの配置位置を固定して、液晶表示パネルが不安定に動いてしまうのを防止することができる液晶表示装置を提供することを目的とする。
【課題を解決するための手段】
【００１０】
前記目的を達成するため、請求項１に記載の発明に係る液晶表示装置の特徴は、ともに基体の周縁部に立設された側壁を有し相互に組み合わされる表示側枠体および非表示側枠体を有し、前記表示側枠体と前記非表示側枠体との内部に液晶表示パネルが収納される液晶表示装置において、前記表示側枠体および前記非表示側枠体のうち何れか一方の枠体の側壁が他方の枠体の側壁よりも外側に配置されて固定され、前記外側に配置された枠体の側壁の何れか一つの側壁に、前記他方の枠体の切り欠きを介して前記表示側枠体および前記非表示側枠体の内側に突出して形成された押圧部を有し、前記押圧部の先端部分が、反液晶表示パネル側の方向に屈曲した曲げ部を有し、前記押圧部の先端部分が前記液晶表示パネルの側面に圧接され、前記液晶表示パネルを固定している点にある。
【００１１】
この請求項１に記載の液晶表示装置によれば、収納ケースの内部に配置された液晶表示パネルを、押圧部によって対向する側の側壁の内面に押圧することができ、これにより、前記収納ケースの内部において前記液晶表示パネルの配置位置を固定させることができる。
【００１３】
また、この請求項１に記載の液晶表示装置によれば、液晶表示パネルを押圧する工程において、前記押圧部の先端縁が前記液晶表示パネルの対向する側面に当接して前記側面を引っ掻いてしまうことを防止することができる。
【００１４】
また、請求項２に記載の発明に係る液晶表示装置の特徴は、ともに矩形状の基体における３辺の周縁部に側壁が立設され、前記各基体における他の１辺の周縁部が開口とされ、相互に組み合わされる表示側枠体および非表示側枠体を有し、前記表示側枠体と前記非表示側枠体との内部に液晶表示パネルが収納される液晶表示装置において、前記表示側枠体および前記非表示側枠体のうち何れか一方の枠体の側壁が他方の枠体の側壁よりも外側に配置されて固定され、前記表示側枠体および前記非表示側枠体のうち何れかの一方の枠体における前記開口に隣接する少なくとも一方の側壁に、該側壁における開口側の一端縁に突設された第１押圧部を有し、前記第１押圧部の先端部分が、前記開口から内部空間に臨み前記液晶表示パネルの側面に圧接され、前記外側に配置された枠体の前記開口に隣接する少なくとも一方の側壁に、前記他方の枠体の切り欠きを介して前記表示側枠体および前記非表示側枠体の内側に突出して形成された第２押圧部を有し、前記第２押圧部の先端部分が前記液晶表示パネルの側面に圧接され、前記液晶表示パネルを固定している点にある。
【００１５】
この請求項２に記載の液晶表示装置によれば、収納ケースの内部に配置された液晶表示パネルを、第１押圧部によって対向する側の側壁の内面に押圧することができるとともに、開口に隣接する両側壁のうちいずれかの側壁に形成された第２押圧部によって液晶表示パネルの側面を圧接することにより、前記収納ケースの内部において前記液晶表示パネルの配置位置を確実に固定させることができる。
【００１６】
また、請求項３に記載の発明に係る液晶表示装置の特徴は、前記液晶表示パネルが前記第２押圧部により前記他方の枠体に押圧されている点にある。
【００１７】
この請求項３に記載の液晶表示装置によれば、収納ケースの内部に配置された液晶表示パネルを、前記開口に隣接する側壁の端縁に連設され先端部分が前記開口から内部空間に臨むように形成された第１押圧部によって対向する側の側壁の内面に押圧することができるとともに、開口に隣接する両側壁のうちいずれかの側壁に形成された第２押圧部によって対向する側の側壁の内面に押さえつけることができる。これにより、本液晶表示装置は、第１押圧部および第２押圧部による２方向からの押圧によって、前記収納ケースの内部において前記液晶表示パネルの配置位置を確実に固定させることができる。
【００１８】
さらに、請求項４に記載の発明に係る液晶表示装置の特徴は、前記側壁における前記開口側の一端縁から連続して形成された前記第１押圧部における先端縁のうち前記第１押圧部を形成しない他方の枠体側の角部が曲線状に形成されている点にある。
【００１９】
この請求項４に記載の発明によれば、液晶表示パネルが配置された一方の枠体に他方の枠体を被せる際に、前記第１押圧部における角部が液晶表示パネルの側面に圧接して前記端面を引っ掻くことを防止することができる。
【発明の効果】
【００２０】
以上述べたように、本発明に係る液晶表示装置によれば、収納ケースの内部において液晶表示パネルの配置位置を固定することができ、これにより、この液晶表示パネルが携帯機器等に実装されてこの携帯機器が動かされた場合であっても、液晶表示パネルが収納ケースの内部において移動してしまうことを確実に防止することができる。
【００２１】
また、押圧部の先端部分は曲げ部とされているので、前記液晶表示パネルを配設する際に、前記押圧部の先端縁が前記液晶表示パネルの対向する側面に当接して前記側面を引っ掻くことにより前記液晶表示パネルを損傷させてしまうということを防止することができる。
【００２２】
さらに、押圧部の先端縁の角部は曲線状に形成されているので、液晶表示パネルが配置された一方の枠体に他方の枠体を被せる際に、押圧部における角部が液晶表示パネルの端面に当接して前記端面を引っ掻くことにより前記液晶表示パネルを損傷させてしまうということを防止することができる。
【発明を実施するための最良の形態】
【００２３】
以下、本発明に係る液晶表示装置の実施形態を図１から図３を参照して説明する。
【００２４】
図１は、本実施形態に係る液晶表示装置における収納ケースに液晶表示パネルを収納する状態を示す分解斜視図であり、図１に示すように、本実施形態の液晶表示装置２０における前記収納ケース１は、液晶表示パネル２の表示側に位置する表示側枠体３と、非表示側に位置する非表示側枠体４とを備えている。
【００２５】
前記非表示側枠体４は、樹脂材料等からなる平面が長方形状の基体６を有し、前記基体６の中央部分には、開口部６ａが形成されている。また、前記基体６における一側辺の周縁部には第１非表示側壁７ａ、他側辺の周縁部には第２非表示側壁７ｂ、さらに一端辺の周縁部には第３非表示側壁７ｃが、それぞれ前記基体６と一体に形成されて立設されており、前記基体６の他端辺の周縁部は、側壁が形成されず開口５とされている。
【００２６】
前記非表示側枠体４における第１非表示側壁７ａおよび第２非表示側壁７ｂにおける両端部分には、それぞれ係止爪８が前記非表示側枠体４の外部方向に突出するように形成されている。
【００２７】
また、前記非表示側枠体４における第１非表示側壁７ａの中央部分および第３非表示側壁７ｃの中央部分は、それぞれ切り欠き９ａ、９ｃとされている。
【００２８】
さらに、前記非表示側枠体４における基体６の内面には遮光シート１０が設けられている。
【００２９】
前記収納ケース１における表示側枠体３は、平面が長方形状の基体１２を有し、前記基体１２の中央部分は窓部１３が形成されている。この表示側枠体３は、薄く形成することができるという点において金属材料等から構成されることが好ましいが、これに限定されず、例えば樹脂材料等によって構成されるものであってもよい。
【００３０】
前記基体１２の一側辺の周縁部には第１表示側壁１４ａ、他側辺の周縁部には第２表示側壁１４ｂ、さらに一端縁の周縁部には第３表示側壁１４ｃが、それぞれ前記基体１２と一体に形成されて立設されており、この表示側枠体３の大きさは、この表示側枠体３を非表示側枠体４の表示側に被せたときに、前記表示側枠体３の第１表示側壁１４ａ、第２表示側壁１４ｂおよび第３表示側壁１４ｃの内面と前記非表示側枠体４の第１非表示側壁７ａ、第２非表示側壁７ｂおよび第３非表示側壁７ｃの外面とが当接する程度の大きさに形成されている。前記基体１２の他端辺の周縁部は、側壁が形成されず開口１１とされている。
【００３１】
また、前記表示側枠体３における第１表示側壁１４ａおよび第２表示側壁１４ｂであって前記表示側枠体３を前記非表示側枠体４に被せたときに前記非表示側枠体４の前記各係止爪８に対向する位置には、それぞれ係止凹部１５が形成されている。そして、前記非表示側枠体４の各係止爪８をこれら各係止爪８に対応する前記各係止凹部１５に係止することにより、前記表示側枠体３と前記非表示側枠体４を固定するようになっている。
【００３２】
さらに、前記表示側枠体３における第１表示側壁１４ａであって前記表示側枠体３を前記非表示側枠体４に被せたときに前記非表示側枠体４における第１非表示側壁７ａの切り欠き９ａに対向する位置には、第２押圧部１６が形成されている。この第２押圧部１６は、図２に示すように、前記第１表示側壁１４ａから開始し先端部が前記表示側枠体３における内側の上方向に突出するように形成されており、この第２押圧部１６の先端部分は、前記第１表示側壁１４ａの方向に屈曲した曲げ部１７とされている。なお、前記第２押圧部１６は、前記表示側枠体３における内側方向に突出するように形成されているものであれば、板状であってもよいし、突起状であってもよい。
【００３３】
さらにまた、前記表示側枠体３の第１表示側壁１４ａおよび第２表示側壁１４ｂには、第１押圧部１９がそれぞれ前記第１表示側壁１４ａおよび第２表示側壁１４ｂにおける前記表示側枠体３の側壁が形成されていない他端辺側の端縁に突設されている。これら各第１押圧部１９は、図３に示すように、先端部分が前記開口５から内部空間に臨むように形成されており、前記各第１押圧部１９における非表示側の先端縁は、角部が除去されて曲線状に形成されている。
【００３４】
なお、この先端縁を曲線状に形成する理由は、液晶表示パネル２をセットする際に、液晶表示パネル２の端面を引っ掻くことを防止することである。したがって、第１押圧部１９を非表示側枠体４に形成した場合、非表示側枠体４に対して液晶表示パネル２をまずセットするので、セットする挿入方向側、すなわち第１押圧部１９を形成しない側を曲線状とする。
【００３５】
前記収納ケース３の内部には、一対の基板２１の対向する面に複数の電極（図示せず）が設けられ、前記各基板２１の間隙に図示しない液晶が充填された液晶表示パネル２が収納されている。また、前記収納ケース１の内部における前記液晶表示パネル２の非表示側には、導光板２２が前記液晶表示パネル２と積層して収納されるようになっており、前記液晶表示パネル２は、前記各電極の電極端子が液晶駆動用ＩＣ２３やフレキシブル配線基板２４等の各電極（図示せず）と接続されるようになっている。
【００３６】
この液晶表示パネル２は、前記収納ケース１の内部において、その表示画面を前記表示側枠体３の窓部１３から視認することができるように配置され、また前記フレキシブル配線基板２４が前記収納ケース３の内部から前記非表示側枠体４および前記表示側枠体３の他端辺側であって側壁が形成されていない開口５、１１を介して前記収納ケース１の外部に配置されるように収納されている。
【００３７】
そして、前記液晶表示パネル２は、前記収納ケース１の内部に収納されたとき、第１表示側壁１４ａに形成された第２押圧部１６の先端部分が前記液晶表示パネル２の側面に圧接することにより前記収納ケース１の第２表示側壁１４ｂ側に押圧されるようになっている。また、前記液晶表示パネル２は、前記第１表示側壁１４ａおよび第２表示側壁１４ｂの端縁に形成された各第１押圧部１９の先端部が前記液晶表示パネル２の端面に圧接することにより前記収納ケース３の第３表示側壁１４ｃ側に押圧されるようになっている。
【００３８】
次に、本実施形態の作用について説明する。
【００３９】
まず、非表示側枠体３の内部に、導光板２２および前記液晶表示パネル２を積層させて配置する。このとき、液晶表示パネル２に設けられたフレキシブル配線基板２４が前記非表示側枠体４の開口５側に位置するように配置する。
【００４０】
続いて、前記非表示側枠体４に、前記非表示側枠体４の表示側の面を覆うように表示側枠体３を被せる。
【００４１】
このとき、前記非表示側枠体４の第１非表示側壁７ａおよび第２非表示側壁７ｂに設けられた各係止爪８を、前記表示側枠体３の第１表示側壁１４ａおよび第２表示側壁１４ｂに設けられた各係止凹部１５に係止させて前記非表示側枠体４に前記表示側枠体３を固定する。
【００４２】
また、前記表示側枠体３の第１表示側壁１４ａの中央部分に設けられた第２押圧部１６の先端部分は、前記非表示側枠体４の第１非表示側壁７ａに形成された切り欠き９ａを介して前記液晶表示パネル２の対向する側面に圧接し、これにより前記液晶表示パネル２を前記非表示側枠体４の第２非表示側壁７ｂの内面に押圧する。
【００４３】
さらに、前記表示側枠体３の第１表示側壁１４ａおよび第２表示側壁１４ｂの端縁に設けられた各第１押圧部１９の先端縁における表示側の部分は、前記液晶表示パネル２の対向する側面に圧接し、前記液晶表示パネル２を前記非表示側枠体４の第３非表示側壁７ｃの内面に押圧する。このとき、前記各第１押圧部１９の先端における非表示側の部分は、角部が除去されて曲線状に形成されているので、前記液晶表示パネル２の前記側面に圧接しない。
【００４４】
そして、これにより前記表示側枠体３の窓部１３から前記液晶表示パネル２の表示画面を視認することができるようにしながら、前記収納ケース１の内部に前記液晶表示パネル２を収納することができる。
【００４５】
本実施形態によれば、前述のように、収納ケース１の内部に配置された液晶表示パネル２を、表示側枠体３の第１表示側壁１４ａにおける中央部分に形成された第２押圧部１６によって非表示側枠体４の第２非表示側壁７ｂの内面に押圧するとともに、表示側枠体３の第１表示側壁１４ａおよび第２表示側壁１４ｂの端縁に形成された第１押圧部１９によって非表示側枠体４の第３非表示側壁７ｃの内面に押圧することができる。これにより、前記液晶表示パネル２の配置位置を前記収納ケース１の内部において前記非表示側枠体４における第２非表示側壁７ｂおよび第３非表示側壁７ｃの間の角部を基準に固定させることができる。
【００４６】
したがって、前記収納ケース１の内部において液晶表示パネル２の配置位置を固定することにより、この液晶表示パネル２が携帯機器等に実装されて、この携帯機器に振動等の負荷がかかった場合であっても、液晶表示パネル２が収納ケース１の内部において移動してしまうことを確実に防止することができる。
【００４７】
また、本実施形態においては、前記第２押圧部１６の先端縁は、前記第１表示側壁１４ａの方向に屈曲された曲げ部１７とされているので、前記液晶表示パネル２が配置された前記非表示側枠体４に前記表示側枠体３を被せる際に、前記第２押圧部１６の先端縁が前記液晶表示パネル２の対向する側面に当接して前記側面を引っ掻くことにより前記液晶表示パネル２を損傷させてしまうということを防止することができる。
【００４８】
さらに、前記第１押圧部１９の第１押圧部１９を形成しない他方の枠体側の先端縁は、角部が除去された曲線状に形成されているので、前記液晶表示パネル２が配置された前記非表示側枠体４に前記表示側枠体３を被せる際に、前記各第１押圧部１９における角部が液晶表示パネル２の端面に当接して前記端面を引っ掻くことにより前記液晶表示パネル２を損傷させてしまうということを防止することができる。
【００４９】
さらにまた、前記表示側枠体３が金属材料によって構成される場合、前記各第２押圧部１６、１９は、樹脂材料によって構成される場合と比較して一層ばね性を有するので、前記液晶表示パネル２の側面および端面に弾力的に圧接させて押圧することができる。また、前記収納ケース１の内部に種々の大きさの液晶表示パネル２を収納する場合であっても、前記各第２押圧部１６、１９のばね性によって、種々の液晶表示パネル２の大きさに対応することができる。
【００５０】
なお、本発明は前記実施形態に限定されるものではなく、必要に応じて種々変更することが可能である。
【００５１】
例えば、第１押圧部１９の先端部分を、引っ掻き傷防止用の曲げ部としてもよい。このときの曲げ方向は反液晶表示パネル側とすればよい。
【図面の簡単な説明】
【００５２】
【図１】本発明に係る液晶表示装置における収納ケースおよびこの収納ケース内部に収納される液晶表示パネルを示す分解斜視図
【図２】図１の収納ケースに液晶表示パネルが収納された状態を示すＡ−Ａにおける側面断面図
【図３】図１の収納ケースに液晶表示パネルが収納された状態を示すＢ−Ｂにおける側面断面図
【符号の説明】
【００５３】
１  収納ケース
２  液晶表示パネル
３  表示側枠体
４  非表示側枠体
６  基体
７ａ  第１非表示側壁
７ｂ  第２非表示側壁
７ｃ  第３非表示側壁
８  係止爪
９ａ，９ｃ  切り欠き部
１２  基体
１３  窓部
１４ａ  第１表示側壁
１４ｂ  第２表示側壁
１４ｃ  第３表示側壁
１５  係止凹部
１６  第２押圧部
１７  曲げ部
１９  第１押圧部
【図１】
0004673544.tif 000002
【図２】
0004673544.tif 000003
【図３】
0004673544.tif 000004